(57)【特許請求の範囲】
【請求項１】
多チャンネルからのアナログ信号をスキャンし、このスキャンしたアナログ信号をデジタル信号に変換し、チャンネル毎に最新のＮ個のデジタル信号の移動平均をとって入力値とする多チャンネルＡＤ変換装置において、
各チャンネルの入力値の算出に際し、前記Ｎ個のデジタル信号に含まれる５０Hzおよび６０Hzの商用ノイズの何れもが相殺されるように、前記スキャン周期が２５ｍｓ、かつ前記デジタル信号の使用個数Ｎが４と定められている
ことを特徴とする多チャンネルＡＤ変換装置。
【請求項２】
２チャンネルからのアナログ信号を２５ｍｓ周期でスキャンし、このスキャンしたアナログ信号をデジタル信号に変換し、チャンネル毎に最新の４個のデジタル信号の移動平均をとって入力値とする多チャンネルＡＤ変換装置において、
各チャンネルの入力値の算出に際し、前記４個のデジタル信号に含まれる５０Hzの商用ノイズがその４個のデジタル信号の２個ずつの組合せにおいて互いに逆位相となって相殺されるように、また前記４個のデジタル信号に含まれる６０Hzの商用ノイズがその４個のデジタル信号の２個ずつの組合せにおいて互いに逆位相となって相殺されるように、前記アナログ信号のスキャン順序が定められている
ことを特徴とする多チャンネルＡＤ変換装置。
【発明の詳細な説明】
【０００１】
【発明の属する技術分野】
この発明は、多チャンネルからのアナログ信号をデジタル信号に変換し、このデジタル信号からチャンネル毎の入力値を得る多チャンネルＡＤ変換装置に関するものである。
【０００２】
【従来の技術】
マイクロコンピュータ使用の工業計器では、多チャンネルからのアナログ信号をＡＤ変換器によってデジタル信号に変換する場合が多い。この場合、アナログ信号には、設置環境からして商用電源の配線や機器からの電気的影響を受けることが考えられる。工業計器では、これらの商用ノイズ（５０Ｈｚ，６０Ｈｚ）の影響を製品性能（入力精度や入力変動時の応答性）を犠牲にすることなく、可能な限り除去することが望ましい。
【０００３】
そこで、従来より、アナログ信号に含まれる商用ノイズを除去する方法として次のような方法が考えられている。
〔▲１▼アナログフィルタによる除去方法〕
アナログ信号の入力部にアナログフィルタを設ける。すなわち、ＲＣフィルタなどのアナログフィルタにアナログ信号を通し、デジタル信号に変換される前のアナログ信号から商用ノイズを除去する。
【０００４】
〔▲２▼デジタルフィルタによる除去方法〕
多チャンネルからのアナログ信号を所定の周期で順次スキャンし、このスキャンしたアナログ信号をデジタル信号に変換し、チャンネル毎に最新のＮ個のデジタル信号の移動平均をとって入力値とすることにより、ＡＤ変換された後のデジタル信号（入力値）から商用ノイズを除去する。
【０００５】
例えば、アナログ信号が２チャンネルから入力される場合、この２チャンネルからのアナログ信号を交互にスキャンする。ここで、商用ノイズが例えば５０Ｈｚであるとした場合、その周期は２０ｍｓなので、その周期中に２回逆位相となるように、つまり１０ｍｓ周期にてスキャンを行い２つのデータの移動平均をデジタル信号（入力値）とすればよい。
【０００６】
【発明が解決しようとする課題】
しかしながら、上述したアナログフィルタによる除去方法によると、商用ノイズの除去能力を高めようとすると、入力応答性が悪化する場合が多い。
【０００７】
また、上述したデジタルフィルタによる除去方法によると、各チャンネルを１０ｍｓ周期でＡＤ変換することが必要となるため、例えば２チャンネルの入力値を計算するにはＡＤ変換時間を５ｍｓ以下にする必要がある。
【０００８】
また、上述したデジタルフィルタによる除去方法では、商用ノイズが５０Ｈｚである場合と６０Ｈｚである場合とでスキャン周期の切り替えが必要となる。すなわち、商用ノイズが５０Ｈｚである場合には、上述したように、１０ｍｓ周期で２チャンネルからのアナログ信号を交互にスキャンし、このスキャンしたアナログ信号をデジタル信号に変換し、チャンネル毎に最新の２個のデジタル信号の移動平均をとればよい。これに対し、商用ノイズが６０Ｈｚである場合には、その周期が１６．６ｍｓとなるため、８．３ｍｓ周期で２チャンネルからのアナログ信号を交互にスキャンし、このスキャンしたアナログ信号をデジタル信号に変換し、チャンネル毎に最新の２個のデジタル信号の移動平均をとらなければならない。このため、設置環境の主電源の周波数が５０Ｈｚであるか６０Ｈｚであるかによって、スキャン周期の切り替えが必要となる。
【０００９】
さらに、スキャン周期の切り替えをなくす手法として、積分型ＡＤ変換器もしくは電荷平衡型ＡＤ変換器を利用してノイズ周期（この場合は５０Ｈｚ，６０Ｈｚの最大公約数である１０Ｈｚの周期＝１００ｍｓ）の間、ＡＤ変換器を動作し続ける手法であるが、チャンネル切替周期および入力値更新周期が１００ｍｓ×チャンネル数（２チャンネルの場合、２００ｍｓ）と長くなってしまい問題がある。
【００１０】
本発明はこのような課題を解決するためになされたもので、その目的とするところは、入力応答性をさほど犠牲にすることなく、ＡＤ変換時間の比較的長いより低価格のＡＤ変換器の使用が可能で、かつ、５０Ｈｚの地域でも６０Ｈｚの地域でも関係なく、双方の商用ノイズを除去することのできる多チャンネルＡＤ変換装置を提供することにある。
【００１１】
【課題を解決するための手段】
このような目的を達成するために、本発明は、多チャンネルからのアナログ信号をスキャンし、このスキャンしたアナログ信号をデジタル信号に変換し、チャンネル毎に最新のＮ個のデジタル信号の移動平均をとって入力値とする多チャンネルＡＤ変換装置において、各チャンネルの入力値の算出に際し、Ｎ個のデジタル信号に含まれる５０Hzおよび６０Hzの商用ノイズの何れもが相殺されるように、スキャン周期を２５ｍｓ、かつデジタル信号の使用個数Ｎを４と定めるようにしたものである。
この発明によれば、各チャンネルの入力値の算出に際し、４個のデジタル信号に含まれる５０Hzおよび６０Hzの商用ノイズの何れもが相殺される。
【００１２】
【発明の実施の形態】
以下、本発明を実施の形態に基づき詳細に説明する。図１はこの発明の一実施の形態を示す２チャンネルＡＤ変換装置の要部を示すブロック図である。同図において、１は端子台、２はアナログ信号入力部（アナログ信号入力手段）、３は第１のマルチプレクサ（アナログ信号選択手段）、４はＡＤ変換器（ＡＤ変換手段）、５は第２のマルチプレクサ、６はＲＡＭ（ＡＤ変換結果格納手段）、７はＲＯＭ、８はＣＰＵ（制御手段）、９は移動平均算出部９−１と９−２とから構成された入力値算出部（入力値算出手段）である。
【００１３】
アナログ信号入力部２は信号変換部２−１，２−２やアナログフィルタ２−３，２−４などから構成されている。信号変換部２−１は、端子台１を介して入力されるチャンネル１（以下、ＣＨ１）からのアナログ信号（例えば、４〜２０ｍＡＤＣ電流入力信号）を取り込み、必要に応じてＡＤ変換器４が直接取り扱うことができるような電圧信号に変換する。信号変換部２−２は、端子台１を介して入力されるチャンネル２（以下、ＣＨ２）からのアナログ信号（例えば、熱電対からの起電力信号）を取り込み、必要に応じてＡＤ変換器４が直接取り扱うことができるような電圧信号に変換する。
【００１４】
アナログフィルタ２−３は信号変換部２−１によって電圧信号に変換されたＣＨ１からのアナログ信号に含まれる一般的なノイズを除去する。アナログフィルタ２−４は信号変換部２−２によって電圧信号に変換されたＣＨ２からのアナログ信号に含まれる一般的なノイズを除去する。
【００１５】
ＣＰＵ８は、ＲＯＭ７に格納されたプログラムに従い、第１のマルチプレクサ３、ＡＤ変換器４、第２のマルチプレクサ５、移動平均算出部９−１，９−２を統括して制御する。図２はＣＰＵ８による制御状況を示すフローチャートである。図３はＣＰＵ８によるデータ収集スケジュールを示す図である。以下、このフローチャートおよびデータ収集スケジュールに基づき、各部の機能を交えながら、本実施の形態における特徴的な動作について説明する。
【００１６】
ＣＨ１からのアナログ信号は、端子台１を介してアナログ信号入力部２の信号変換部２−１へ与えられ、電圧信号に変換され、アナログフィルタ２−３によって一般的なノイズが除去されたうえ、マルチプレクサ３へ与えられる。ここで、マルチプレクサ３へ与えられるＣＨ１からのアナログ信号には、まだ商用ノイズが含まれている。一方、ＣＨ２からのアナログ信号は、端子台１を介してアナログ信号入力部２の信号変換部２−２へ与えられ、電圧信号に変換され、アナログフィルタ２−４によって一般的なノイズが除去されたうえ、マルチプレクサ３へ与えられる。ここで、マルチプレクサ３へ与えられるＣＨ２からのアナログ信号には、まだ商用ノイズが含まれている。
【００１７】
マルチプレクサ３は、ＣＰＵ８からの指示を受けて、ＣＨ１およびＣＨ２からのアナログ信号を指定されたスキャン周期，指定されたスキャン順序に従って選択し、ＡＤ変換器４へ出力する。この場合、ＣＰＵ８は、スキャン周期を２５ｍｓとし、ＣＨ１→ＣＨ２→ＣＨ１→ＣＨ２→ＣＨ２→ＣＨ１→ＣＨ２→ＣＨ１→ＣＨ１→ＣＨ２→ＣＨ１→ＣＨ２・・・・というような変則的なスキャン順序で、ＣＨ１，ＣＨ２からのアナログ信号を選択させる。
【００１８】
すなわち、ＣＰＵ８は、まず最初の周期で、マルチプレクサ３をＣＨ１側に切り換え（ステップ２０１，２０２）、ＣＨ１からのアナログ信号をＡＤ変換器４へ与え、ＡＤ変換を実施させ（ステップ２０３）、デジタル信号ＡＤ１（１）を得る。そして、マルチプレクサ５をＣＨ１側に切り換えて、ＡＤ変換器４からのデジタル信号ＡＤ１（１）をＲＡＭ６中のＣＨ１用の格納領域６−１に格納させる（ステップ２０４）。
【００１９】
次の周期で、ＣＰＵ８は、マルチプレクサ３をＣＨ２側に切り換え（ステップ２０１，２０７）、ＣＨ２からのアナログ信号をＡＤ変換器４へ与え、ＡＤ変換を実施させ（ステップ２０８）、デジタル信号ＡＤ２（１）を得る。そして、マルチプレクサ５をＣＨ２側に切り換えて、ＡＤ変換器４からのデジタル信号ＡＤ２（１）をＲＡＭ６中のＣＨ２用の格納領域６−２に格納させる（ステップ２０９）。
【００２０】
以下、同様にして、ＣＰＵ８は、２５ｍｓ毎にマルチプレクサ３におけるアナログ信号の選択、ＡＤ変換器４におけるＡＤ変換の実施を繰り返し、ＡＤ１（２）→ＡＤ２（２）→ＡＤ２（３）→ＡＤ１（３）→ＡＤ２（４）→ＡＤ１（４）→ＡＤ１（５）→ＡＤ２（５）→ＡＤ１（６）→ＡＤ２（６）・・・・順でデジタル信号を得、デジタル信号ＡＤ１をＲＡＭ６中のＣＨ１用の格納領域６−１に、デジタル信号ＡＤ２をＣＨ２用の格納領域６−２に順次格納させて行く。
【００２１】
また、ＣＰＵ８は、移動平均算出部９−１へ指令を送り、ＲＡＭ６中のＣＨ１用の格納領域６−１にデジタル信号ＡＤ１が格納される毎に、最新の４個のデジタル信号ＡＤ１の移動平均をＰＶ１＝（ＡＤ１（ｎ−３）＋ＡＤ１（ｎ−２）＋ＡＤ１（ｎ−１）＋ＡＤ１（ｎ））／４として算出させ（ステップ２０５）、この移動平均ＰＶ１をＲＡＭ６中にＣＨ１の入力値として格納させる（ステップ２０６）。
【００２２】
すなわち、図３において、デジタル信号ＡＤ１（４）が得られると、このデジタル信号ＡＤ１（４）と以前に格納したＡＤ１（１），ＡＤ１（２），ＡＤ１（３）とを合わせた４個のデジタル信号の平均をＰＶ１（１）とし、ＲＡＭ６中にＣＨ１の入力値として格納する。デジタル信号ＡＤ１（５）が得られると、このデジタル信号ＡＤ１（５）と以前に格納したＡＤ１（２），ＡＤ１（３），ＡＤ１（４）とを合わせた４個のデジタル信号の平均をＰＶ１（２）とし、ＲＡＭ６中にＣＨ１の入力値として格納する。
【００２３】
同様に、ＣＰＵ８は、移動平均算出部９−２へ指令を送り、ＲＡＭ６中のＣＨ２用の格納領域６−２にデジタル信号ＡＤ２が格納される毎に、最新の４個のデジタル信号ＡＤ２の移動平均をＰＶ２＝（ＡＤ２（ｎ−３）＋ＡＤ２（ｎ−２）＋ＡＤ２（ｎ−１）＋ＡＤ２（ｎ））／４として算出させ（ステップ２１０）、この移動平均ＰＶ２をＲＡＭ６中にＣＨ２の入力値として格納させる（ステップ２１１）。
【００２４】
すなわち、図３において、デジタル信号ＡＤ２（４）が得られると、このデジタル信号ＡＤ２（４）と以前に格納したＡＤ２（１），ＡＤ２（２），ＡＤ２（３）とを合わせた４個のデジタル信号の平均をＰＶ２（１）とし、ＲＡＭ６中にＣＨ２の入力値として格納する。デジタル信号ＡＤ２（５）が得られると、このデジタル信号ＡＤ２（５）と以前に格納したＡＤ２（２），ＡＤ２（３），ＡＤ２（４）とを合わせた４個のデジタル信号の平均をＰＶ２（２）とし、ＲＡＭ６中にＣＨ２の入力値として格納する。
【００２５】
ここで、本実施の形態では、マルチプレクサ３でのスキャン周期を２５ｍｓ、スキャン順序を上述した変則的な順序、移動平均算出部９−１，９−２での移動平均算出に際してのデジタル信号ＡＤ１，ＡＤ２の使用個数を４個（Ｎ＝４）としていることにより、移動平均算出部９−１，９−２でのＣＨ１，２の入力値の算出に際し、４個のデジタル信号に含まれる５０Ｈｚおよび６０Ｈｚの商用ノイズの何れもが互いに相殺される。これにより、５０Ｈｚの地域でも６０Ｈｚの地域でも関係なく、双方の商用ノイズを除去することができるようになる。また、入力値は２５ｍｓ〜７５ｍｓ（平均５０ｍｓ）ごとに新しいものに更新される。
【００２６】
〔５０Ｈｚ，６０Ｈｚ双方の商用ノイズが除去される理由〕
図４（ａ）および（ｂ）に５０Ｈｚの商用ノイズおよび６０Ｈｚの商用ノイズを示す。５０Ｈｚの商用ノイズの周期は２０ｍｓ、６０Ｈｚの商用ノイズの周期は１６．６ｍｓである。
【００２７】
ここで、本実施の形態では、スキャン周期を２５ｍｓとしている。スキャン周期を２５ｍｓとすることにより、５０Ｈｚの商用ノイズでは、そのスキャンタイミングでの位相が０゜→９０゜→１８０゜→２７０゜→３６０゜とずれて行き、その位相成分は▲１▼−１→▲２▼−１→▲１▼−２→▲２▼−２の繰り返しとなる。また、６０Ｈｚの商用ノイズでは、そのスキャンタイミングでの位相が０゜→１８０゜→０゜→１８０゜→０゜とずれて行き、その位相成分は▲１▼’−１→▲２▼’−１→▲１▼’−１→▲２▼’−１の繰り返しとなる。
【００２８】
この場合、５０Ｈｚの商用ノイズにおける位相成分▲１▼−１と▲１▼−２とは逆位相の関係にあり、また位相成分▲２▼−１と▲２▼−２とも逆位相の関係にある。したがって、デジタル信号ＡＤ１の移動平均をＰＶ１＝（ＡＤ１（ｎ−３）＋ＡＤ１（ｎ−２）＋ＡＤ１（ｎ−１）＋ＡＤ１（ｎ））／４として求めることにより、位相成分▲１▼−１と▲１▼−２とが相殺され、また位相成分▲２▼−１と▲２▼−２とが相殺され、ＣＨ１の入力値ＰＶ１から５０Ｈｚの商用ノイズが除去される。同様に、デジタル信号ＡＤ２の移動平均をＰＶ２＝（ＡＤ２（ｎ−３）＋ＡＤ２（ｎ−２）＋ＡＤ２（ｎ−１）＋ＡＤ２（ｎ））／４として求めることにより、位相成分▲１▼−１と▲１▼−２とが相殺され、また位相成分▲２▼−１と▲２▼−２とが相殺され、ＣＨ２の入力値ＰＶ２から５０Ｈｚの商用ノイズが除去される。
【００２９】
すなわち、デジタル信号ＡＤ１（４）が得られると、このデジタル信号ＡＤ１（４）と以前に格納したＡＤ１（１），ＡＤ１（２），ＡＤ１（３）とを合わせた４個のデジタル信号より移動平均ＰＶ１（１）が求められる。この場合、ＡＤ１（１）には位相成分▲１▼−１が含まれ、ＡＤ１（２）には位相成分▲１▼−２が含まれ、ＡＤ１（３）には位相成分▲２▼−１が含まれ、ＡＤ１（４）には位相成分▲２▼−２が含まれている。この場合、ＡＤ１（１）に含まれている位相成分▲１▼−１とＡＤ１（２）に含まれている位相成分▲１▼−２とが相殺され、ＡＤ１（３）に含まれている位相成分▲２▼−１とＡＤ１（４）に含まれている位相成分▲２▼−２とが相殺され、ＣＨ１の入力値ＰＶ１（１）から５０Ｈｚの商用ノイズが除去される。ＰＶ１（２），ＰＶ１（３）・・・・も同様にして５０Ｈｚの商用ノイズが除去される。
【００３０】
デジタル信号ＡＤ２（４）が得られると、このデジタル信号ＡＤ２（４）と以前に格納したＡＤ２（１），ＡＤ２（２），ＡＤ２（３）とを合わせた４個のデジタル信号より移動平均ＰＶ２（１）が求められる。この場合、ＡＤ２（１）には位相成分▲２▼−１が含まれ、ＡＤ２（２）には位相成分▲２▼−２が含まれ、ＡＤ２（３）には位相成分▲１▼−１が含まれ、ＡＤ２（４）には位相成分▲１▼−２が含まれている。この場合、ＡＤ２（１）に含まれている位相成分▲２▼−１とＡＤ２（２）に含まれている位相成分▲２▼−２とが相殺され、ＡＤ２（３）に含まれている位相成分▲１▼−１とＡＤ２（４）に含まれている位相成分▲１▼−２とが相殺され、ＣＨ２の入力値ＰＶ２（１）から５０Ｈｚの商用ノイズが除去される。ＰＶ２（２），ＰＶ２（３）・・・・も同様にして５０Ｈｚの商用ノイズが除去される。
【００３１】
一方、６０Ｈｚの商用ノイズにおける位相成分▲１▼’−１と▲２▼’−１とは逆位相の関係にある。したがって、デジタル信号ＡＤ１の移動平均をＰＶ１＝（ＡＤ１（ｎ−３）＋ＡＤ１（ｎ−２）＋ＡＤ１（ｎ−１）＋ＡＤ１（ｎ））／４として求めることにより、位相成分▲１▼’−１と▲２▼’−１とが相殺され、ＣＨ１の入力値ＰＶ１から６０Ｈｚの商用ノイズが除去される。同様に、デジタル信号ＡＤ２の移動平均をＰＶ２＝（ＡＤ２（ｎ−３）＋ＡＤ２（ｎ−２）＋ＡＤ２（ｎ−１）＋ＡＤ２（ｎ））／４として求めることにより、位相成分▲１▼’−１と▲２▼’−１とが相殺され、ＣＨ２の入力値ＰＶ２から６０Ｈｚの商用ノイズが除去される。
【００３２】
すなわち、デジタル信号ＡＤ１（４）が得られると、このデジタル信号ＡＤ１（４）と以前に格納したＡＤ１（１），ＡＤ１（２），ＡＤ１（３）とを合わせた４個のデジタル信号より移動平均ＰＶ１（１）が求められる。この場合、ＡＤ１（１）には位相成分▲１▼’−１が含まれ、ＡＤ１（２）には位相成分▲１▼’−１が含まれ、ＡＤ１（３）には位相成分▲２▼’−１が含まれ、ＡＤ１（４）には位相成分▲２▼’−１が含まれている。この場合、ＡＤ１（１）に含まれている位相成分▲１▼’−１とＡＤ１（３）に含まれている位相成分▲２▼’−１とが相殺され、ＡＤ１（２）に含まれている位相成分▲１▼’−１とＡＤ１（４）に含まれている位相成分▲２▼’−１とが相殺され、ＣＨ１の入力値ＰＶ１（１）から６０Ｈｚの商用ノイズが除去される。ＰＶ１（２），ＰＶ１（３）・・・・も同様にして６０Ｈｚの商用ノイズが除去される。
【００３３】
デジタル信号ＡＤ２（４）が得られると、このデジタル信号ＡＤ２（４）と以前に格納したＡＤ２（１），ＡＤ２（２），ＡＤ２（３）とを合わせた４個のデジタル信号より移動平均ＰＶ２（１）が求められる。この場合、ＡＤ２（１）には位相成分▲２▼’−１が含まれ、ＡＤ２（２）には位相成分▲２▼’−１が含まれ、ＡＤ２（３）には位相成分▲１▼’−１が含まれ、ＡＤ２（４）には位相成分▲１▼’−１が含まれている。この場合、ＡＤ２（１）に含まれている位相成分▲２▼’−１とＡＤ２（３）に含まれている位相成分▲１▼’−１とが相殺され、ＡＤ２（２）に含まれている位相成分▲２▼’−１とＡＤ２（４）に含まれている位相成分▲１▼’−１とが相殺され、ＣＨ２の入力値ＰＶ２（１）から６０Ｈｚの商用ノイズが除去される。ＰＶ２（２），ＰＶ２（３）・・・・も同様にして６０Ｈｚの商用ノイズが除去される。
【００３４】
このように、本実施の形態によれば、５０Ｈｚの地域でも６０Ｈｚの地域でも関係なく、双方の商用ノイズを除去することができるので、設置環境の主電源の周波数が５０Ｈｚであるか６０Ｈｚであるかによってスキャン周期を切り替える必要がなくなる。
【００３５】
なお、上述した実施の形態では、スキャン順序をＣＨ１→ＣＨ２→ＣＨ１→ＣＨ２→ＣＨ２→ＣＨ１→ＣＨ２→ＣＨ１→ＣＨ１→ＣＨ２→ＣＨ１→ＣＨ２・・・・としたが、移動平均ＰＶ１，ＰＶ２の算出に際して５０Hz，６０Hz双方の商用ノイズの位相成分を相殺することができればよく、この条件を満たす組み合わせであればどのような組み合わせでもよい。
【００３６】
また、本実施の形態では、２チャンネルの場合について説明したが、２チャンネル以上のＡＤ変換装置への適用も可能である。また、ＡＤ変換器４としては、積分型ＡＤ変換器の他、各種のＡＤ変換器を使用することができる。
【００３７】
【発明の効果】
以上説明したことから明らかなように本発明によれば、各チャンネルの入力値の算出に際し、４個のデジタル信号に含まれる５０Hzおよび６０Hzの商用ノイズの何れもが相殺されるものとなり、５０Hzの地域でも６０Hzの地域でも関係なく、双方の商用ノイズを除去することができるようになる。また、入力応答性、入力値更新周期をさほど犠牲にすることなく、ＡＤ変換時間の比較的長いより低価格のＡＤ変換器の使用が可能となる。
【図面の簡単な説明】
【図１】本発明の一実施の形態を示す２チャンネルＡＤ変換装置の要部を示すブロック図である。
【図２】この２チャンネルＡＤ変換装置におけるＣＰＵによる制御状況を示すフローチャートである。
【図３】このＣＰＵによるデータ収集スケジュールを示す図である。
【図４】この２チャンネルＡＤ変換装置において５０Ｈｚ，６０Ｈｚ双方の商用ノイズが除去される理由を説明するための図である。
【符号の説明】
１…端子台、２…アナログ信号入力部、３…第１のマルチプレクサ、４…ＡＤ変換器、５…第２のマルチプレクサ、６…ＲＡＭ、６−１…ＣＨ１用の格納領域，６−２…ＣＨ２用の格納領域、７…ＲＯＭ、８…ＣＰＵ、９…入力値算出部、９−１，９−２…移動平均算出部。
【図１】
0003566124.tif 000002
【図２】
0003566124.tif 000003
【図３】
0003566124.tif 000004
【図４】
0003566124.tif 000005